(57)【要約】【課題】既存の照明装置および屋内配線をそのまま利用して、ＨＥＭＳコントローラから照度を指定して照明装置を制御することを可能とする照明装置のスイッチ装置および照明システムを提供する。【解決手段】スイッチ２６は、シーリングライト２とＡＣ電源との間に設けられる。無線通信部１８は、ＨＥＭＳコントローラから照度の指定値を受信する。ＣＰＵ１２およびスイッチ制御部２０は、指定された照度をスイッチの開閉パターンに変換して、変換した開閉パターンでスイッチ２６の開閉を制御する。【選択図】図２
2013037766.tif 000002
【特許請求の範囲】
【請求項１】
照明装置と電源との間に設けられたスイッチと、
コントローラから照度の指定値を受信する通信部と、
前記指定された照度を前記スイッチの開閉パターンに変換して、変換した開閉パターンで前記スイッチの開閉を制御する制御部とを備えた、スイッチ装置。
【請求項２】
前記照明装置が複数個あって、各照明装置に対応して前記スイッチ装置が設けられる場合に、
前記スイッチ装置は、
全スイッチに共通の、明るさレベルと前記スイッチの開閉パターンとの対応を定めた第１のテーブルと、自装置と接続しているスイッチに固有の、照度と明るさのレベルを定めた第２のテーブルと記憶する記憶部をさらに備え、
前記制御部は、前記第２のテーブルを参照して、前記指定された照度に対応する明るさレベルを特定し、さらに前記第１のテーブルを参照して、前記特定した明るさレベルに対応する前記スイッチの開閉パターンを特定する、請求項１記載のスイッチ装置。
【請求項３】
前記スイッチ装置は、
前記スイッチの制御後に部屋の照度を検出する照度検出部をさらに備え、
前記制御部は、前記検出した照度と、前記指定された照度との差が一定値以上の場合には、前記第２のテーブルの再設定を行なう、請求項２記載のスイッチ装置。
【請求項４】
前記制御部は、前記第２のテーブルの再設定時に、前記第１のテーブルを参照して、明るさレベルを選択して、前記選択した明るさレベルに対応する前記スイッチの開閉パターンを特定して、特定したパターンで前記スイッチを制御し、
前記照度検出部は、前記特定したパターンで前記スイッチの制御後に、部屋の照度を検出し、
前記制御部は、前記選択した明るさレベルに対応させて、前記検出した照度を前記第２のテーブルに登録する、請求項３記載のスイッチ装置。
【請求項５】
前記第２のテーブルは、照度と対応して明るさのレベルに加えて消費電力を定め、
前記スイッチ装置は、
前記スイッチの制御後に消費電力を検出する電力検出部をさらに備え、
前記制御部は、前記検出した消費電力と、前記第２のテーブルにおける前記指定された照度に対応する消費電力との差が一定値以上の場合には、前記第２のテーブルの再設定を行なう、請求項２記載のスイッチ装置。
【請求項６】
前記制御部は、前記第２のテーブルの再設定時に、前記第１のテーブルを参照して、明るさレベルを選択して、前記選択した明るさレベルに対応する前記スイッチの開閉パターンを特定して、特定したパターンで前記スイッチを制御し、
前記電力検出部は、前記特定したパターンで前記スイッチの制御後に、消費電力を検出し、
前記制御部は、前記選択した明るさレベルに対応させて、前記検出した消費電力を前記第２のテーブルに登録する、請求項５記載のスイッチ装置。
【請求項７】
前記第２のテーブルは、照度と対応して明るさのレベルに加えて消費電力を定め、
前記制御部は、前記第２のテーブルが設定されていないときに、前記第１のテーブルを参照して、明るさレベルを選択して、前記選択した明るさレベルに対応する前記スイッチの開閉パターンを特定して、特定したパターンで前記スイッチを制御し、
前記スイッチ装置は、
前記特定したパターンでの前記スイッチの制御後に、部屋の照度を検出する照度検出部と、
前記特定したパターンでの前記スイッチの制御後に、消費電力を検出する電力検出部とをさらに備え、
前記制御部は、前記選択した明るさレベルに対応させて、前記検出した照度および前記検出した消費電力を前記第２のテーブルに登録する、請求項２記載のスイッチ装置。
【請求項８】
複数の照明装置と、
電源と、
それぞれが、１つの照明装置と接続される複数のスイッチ装置と、
複数の照明装置を制御するコントローラとを含む照明システムであって、
前記スイッチ装置は、
前記照明装置と電源との間に設けられたスイッチと、
前記コントローラから照度の指定値を受信する通信部と、
前記指定された照度を前記スイッチの開閉パターンに変換して、変換した開閉パターンで前記接続されたスイッチを制御する制御部とを備えた、照明システム。
【発明の詳細な説明】
【技術分野】
【０００１】
本発明は、スイッチ装置および照明システムに関し、特に、照明装置を制御するスイッチ装置、およびそのようなスイッチ装置を含む照明システムに関する。
【背景技術】
【０００２】
従来から照明装置の明るさを制御する方式が提案されている。たとえば、特許文献１（特開２００５−２８５７２５号公報）には、プルレス動作方式が記載されている。この方式では、操作者が壁スイッチによりＡＣ電源のＯＮ／ＯＦＦを行なうことにより点灯モードが切り替わる方式が記載されている。
【０００３】
ところで、近年、ＨＥＭＳ（Home Energy Management System）が注目されている。ＨＥＭＳは、家庭内の電気などのエネルギーの管理し、可視化することによって、省エネを行なうシステムである。
【０００４】
ＨＥＭＳコントローラが照明装置に対して明るさの制御を行なう場合、明るさを”強／中／弱”の相対値ではなく、絶対値である照度（たとえば１００ルクス）で指定することができる。
【先行技術文献】
【特許文献】
【０００５】
【特許文献１】特開２００５−２８５７２５号公報
【発明の概要】
【発明が解決しようとする課題】
【０００６】
しかしながら、ＨＥＭＳコントローラからの制御を受け付ける機能を具備していない既存住宅のシーリングライトについては、ＨＥＭＳコントローラから照度を指定して明るさを制御することができないという問題がある。
【０００７】
それゆえに、本発明の目的は、既存の照明装置および屋内配線をそのまま利用して、ＨＥＭＳコントローラから照度を指定して照明装置を制御することを可能とする照明装置のスイッチ装置および照明システムを提供することである。
【課題を解決するための手段】
【０００８】
上記課題を解決するために、本発明のスイッチ装置は、照明装置と電源との間に設けられたスイッチと、コントローラから照度の指定値を受信する通信部と、指定された照度をスイッチの開閉パターンに変換して、変換した開閉パターンでスイッチの開閉を制御する制御部とを備える。
【０００９】
好ましくは、照明装置が複数個あって、各照明装置に対応してスイッチ装置が設けられている場合に、スイッチ装置は、全スイッチに共通の、明るさレベルとスイッチの開閉パターンとの対応を定めた第１のテーブルと、自装置と接続しているスイッチに固有の、照度と明るさのレベルを定めた第２のテーブルと記憶する記憶部をさらに備える。制御部は、第２のテーブルを参照して、指定された照度に対応する明るさレベルを特定し、さらに第１のテーブルを参照して、特定した明るさレベルに対応するスイッチの開閉パターンを特定する。
【００１０】
好ましくは、スイッチ装置は、スイッチの制御後に部屋の照度を検出する照度検出部をさらに備える。制御部は、検出した照度と、指定された照度との差が一定値以上の場合には、第２のテーブルの再設定を行なう。
【００１１】
好ましくは、制御部は、第２のテーブルの再設定時に、第１のテーブルを参照して、明るさレベルを選択して、選択した明るさレベルに対応するスイッチの開閉パターンを特定して、特定したパターンでスイッチを制御する。照度検出部は、特定したパターンでスイッチの制御後に、部屋の照度を検出する。制御部は、選択した明るさレベルに対応させて、検出した照度を第２のテーブルに登録する。
【００１２】
好ましくは、第２のテーブルは、照度と対応して明るさのレベルに加えて消費電力を定める。スイッチ装置は、スイッチの制御後に消費電力を検出する電力検出部をさらに備える。制御部は、検出した消費電力と、第２のテーブルにおける指定された照度に対応する消費電力との差が一定値以上の場合には、第２のテーブルの再設定を行なう。
【００１３】
好ましくは、制御部は、第２のテーブルの再設定時に、第１のテーブルを参照して、明るさレベルを選択して、選択した明るさレベルに対応するスイッチの開閉パターンを特定して、特定したパターンでスイッチを制御する。電力検出部は、特定したパターンでスイッチの制御後に、消費電力を検出する。制御部は、選択した明るさレベルに対応させて、検出した消費電力を第２のテーブルに登録する。
【００１４】
好ましくは、第２のテーブルは、照度と対応して明るさのレベルに加えて消費電力を定める。制御部は、第２のテーブルが設定されていないときに、第１のテーブルを参照して、明るさレベルを選択して、選択した明るさレベルに対応するスイッチの開閉パターンを特定して、特定したパターンでスイッチを制御する。スイッチ装置は、特定したパターンでのスイッチの制御後に、部屋の照度を検出する照度検出部と、特定したパターンでのスイッチの制御後に、消費電力を検出する電力検出部とをさらに備える。制御部は、選択した明るさレベルに対応させて、検出した照度および検出した消費電力を第２のテーブルに登録する。
【００１５】
本発明は、複数の照明装置と、電源と、それぞれが、１つの照明装置と接続される複数のスイッチ装置と、複数の照明装置を制御するコントローラとを含む照明システムであって、スイッチ装置は、照明装置と電源との間に設けられたスイッチと、コントローラから照度の指定値を受信する通信部と、指定された照度をスイッチの開閉パターンに変換して、変換した開閉パターンで接続されたスイッチを制御する制御部とを備える。
【発明の効果】
【００１６】
本発明によれば、ＨＥＭＳコントローラから照度を指定して明るさを制御することができる。
【図面の簡単な説明】
【００１７】
【図１】本発明の実施形態の照明システムの構成を表わす図である。
【図２】本発明の実施形態の壁スイッチ装置の構成を表わす図である。
【図３】シーリングライト制御テーブルを表わす図である。
【図４】スイッチ操作と、シーリングライトの点灯状態とを表わす図である。
【図５】シーリングライト設定テーブルを表わす図である。
【図６】ＨＥＭＳコントローラと壁スイッチ装置の間で伝送されるコマンドを表わす図である。
【図７】本実施の形態の照明制御の動作手順を表わすフローチャートである。
【図８】シーリングライト設定テーブルの自動設定の動作手順を表わすフローチャートである。
【発明を実施するための形態】
【００１８】
以下、本発明の実施形態について図面を参照して説明する。
（システムの構成）
図１は、本発明の実施形態の照明システムの構成を表わす図である。
【００１９】
図１を参照して、照明システム１は、人感センサ７と、ＨＥＭＳコントローラ３と、ＨＥＭＳ表示部５と、複数のシーリングライト２＿１〜２＿Ｎとを備える。
【００２０】
照明システム１は、さらに、ＡＣ１００Ｖ電源と、複数の壁スイッチ装置１０＿１〜１０＿Ｎとを備える。
【００２１】
人感センサ７とＨＥＭＳコントローラ３との間、および壁スイッチ装置１０＿１〜１０＿ＮとＨＥＭＳコントローラ３との間は、無線通信ネットワークで接続されている。
【００２２】
シーリングライト２＿１〜２＿Ｎは、壁スイッチ装置１０＿１〜１０＿ＮとＡＣ１００Ｖの電源配線で接続されている。
【００２３】
シーリングライト２＿１〜２＿Ｎは、ＡＣ１００Ｖ電源のオン／オフパターンで明るさが切り替わる。
【００２４】
壁スイッチ装置１０＿１〜１０＿Ｎは、ＨＥＭＳコントローラ３から制御され、ＡＣ１００Ｖ電源とシーリングライト２＿１〜２＿Ｎとの接続のオン／オフを制御する。
【００２５】
壁スイッチ装置１０＿１〜１０＿Ｎは、電力センス機能があり、シーリングライト２＿１〜２＿Ｎの消費電力を検出し、ＨＥＭＳコントローラ３に通知する。壁スイッチ装置１０＿１〜１０＿Ｎは、照度センス機能があり、室内の照度を検出し、ＨＥＭＳコントローラ３に通知する。
【００２６】
ＨＥＭＳ表示部５には、シーリングライト２＿１〜２＿Ｎの消費電力などが表示される。
【００２７】
（壁スイッチ装置の構成）
図２は、本発明の実施形態の壁スイッチ装置の構成を表わす図である。同図は、シーリングライト２＿１〜２＿Ｎ、および壁スイッチ装置１０＿１〜１０＿Ｎのうちの１つを代表して説明するが、他もこれと同じ構成である。
【００２８】
図２を参照して、壁スイッチ装置１０は、ＣＰＵ１２と、メモリ１４と、記憶部１６と、無線通信部１８と、スイッチ制御部２０と、電力検出部２２と、照度検出部２４とを備える。
【００２９】
ＣＰＵ１２は、記憶部１６内の各種のプログラムを実行する。
メモリ１４は、ＣＰＵ１２がプログラムを実行する際に使用される。
【００３０】
電力検出部２２は、シーリングライト２に取り付けられた電流センサ２８からの信号に基づいて、シーリングライト２の消費電力を検出する。また、ＣＰＵ１２は、消費電力の積算値である積算電力を算出する。
【００３１】
照度検出部２４は、シーリングライト２で照明される部屋に取り付けられた照度センサ３０からの信号に基づいて、室内の照度を検出する。
【００３２】
記憶部１６は、シーリングライト２を制御するための各種のプログラムを記憶する。また、記憶部１６は、シーリングライト制御テーブルと、シーリングライト設定テーブルとを記憶する。
【００３３】
（シーリングライト制御テーブル）
図３は、シーリングライト制御テーブルを表わす図である。
【００３４】
シーリングライト制御テーブルは、すべてのスイッチに共通のものである。図３に示すように、シーリングライト制御テーブルは、明るさレベルとスイッチ２６の開閉パターン（オン／オフパターン）との対応を定める。
【００３５】
図４は、スイッチ操作と、シーリングライト２の点灯状態とを表わす図である。図４では、明るさレベルが明るさ０〜明るさ４の場合を示している。
【００３６】
明るさレベルが「０」に指定された場合には、スイッチ２６がＯＦＦに制御される。このとき、シーリングライト２は消灯する。
【００３７】
明るさレベルが「１」に指定された場合には、スイッチ２６がＯＦＦ／ＯＮに制御される。このとき、シーリングライト２は全灯する。
【００３８】
明るさレベルが「２」に指定された場合には、スイッチ２６がＯＦＦ／ＯＮ／ＯＦＦ／ＯＮに制御される。このとき、シーリングライト２は中灯する。ただし、２回目のＯＦＦは短期間とする。
【００３９】
明るさレベルが「３」に指定された場合には、スイッチ２６がＯＦＦ／ＯＮ／ＯＦＦ／ＯＮ／ＯＦＦ／ＯＮに制御される。このとき、シーリングライト２は小灯する。ただし、２回目および４回目のＯＦＦは短期間とする。
【００４０】
明るさレベルが「４」に指定された場合には、スイッチ２６がＯＦＦ／ＯＮ／ＯＦＦ／ＯＮ／ＯＦＦ／ＯＮ／ＯＦＦ／ＯＮに制御される。このとき、シーリングライト２は微灯する。ただし、２回目、４回目および６回目のＯＦＦは短期間とする。
【００４１】
（シーリングライト設定テーブル）
図５は、シーリングライト設定テーブルを表わす図である。
【００４２】
シーリングライト設定テーブルは、自装置と接続しているスイッチに固有のテーブルである。図５に示すように、シーリングライト設定テーブルは、明るさレベルと、照度および消費電力との対応を定める。
【００４３】
シーリングライト設定テーブルにおいて、照度が「９９９９」および消費電力が「９９９９」は、未設定であることを表わす。
【００４４】
無線通信部１８は、ＨＥＭＳコントローラ３との間でコマンドの伝送を行なう。
（コマンド）
図６は、ＨＥＭＳコントローラ３と壁スイッチ装置１０の間で伝送されるコマンドを表わす図である。
【００４５】
点灯制御コマンド、消灯制御コマンド、状態取得コマンド、積算電力リセットコマンドは、ＨＥＭＳから壁スイッチ装置１０へ送信される。状態通知コマンドは、壁スイッチ装置１０からＨＥＭＳへ送信される。
【００４６】
点灯制御コマンドは、ファンクションとして「０１」を含み、さらに照明装置ＩＤと、明るさを指定する照度とを含む。ＨＥＭＳコントローラ３は、人感センサ７などにより人間を検出すると、シーリングライト２の点灯制御を行なうために、点灯制御コマンドを送信する。消灯制御コマンドは、ファンクションとして「０２」を含み、さらに照明装置ＩＤを含む。状態取得コマンドは、ファンクションとして「０３」を含み、さらに照明装置ＩＤを含む。積算電力リセットコマンドは、ファンクションとして「０４」を含み、さらに照明装置ＩＤを含む。状態通知コマンドは、ステイタスとして「０３」を含み、さらに照明装置ＩＤと、照度と、消費電力と、積算電力とを含む。
【００４７】
スイッチ制御部２０およびＣＰＵ１２を総称して制御部と呼ぶこともある。
スイッチ制御部２０は、ＣＰＵ１２の指示にしたがって、スイッチ２６を開閉（オフ／オン）する。
【００４８】
ＣＰＵ１２は、シーリングライト設定テーブルおよびシーリングライト制御テーブルを参照して、ＨＥＭＳコントーラから指定された照度をスイッチ２６の開閉パターンに変換して、スイッチ制御部２０を指示して、変換した開閉パターンでスイッチ２６を開閉させる。
【００４９】
具体的には、ＣＰＵ１２は、シーリングライト設定テーブルを参照して、指定された照度に対応する明るさレベルを特定し、さらにシーリングライト制御テーブルを参照して、特定した明るさレベルに対応するスイッチの開閉パターンを特定する。ＣＰＵ１２は、スイッチ制御部２０を指示して、特定したスイッチの開閉パターンでスイッチ２６を開閉させる。
【００５０】
ＣＰＵ１２は、シーリングライト設定テーブルの再設定を以下のようにして行なう。
ＣＰＵ１２は、ＨＥＭＳコントローラ３からの点灯制御コマンドに基づいてスイッチ２６を制御した後に照度検出部２４に部屋の照度を検出させる。ＣＰＵ１２は、検出された照度と、ＨＥＭＳコントローラ３から指定された照度との差が一定値以上の場合には、シーリングライト２が交換されたと判断して、ＨＥＭＳ設定テーブルの再設定を行なう。
【００５１】
ＨＥＭＳ設定テーブルの再設定時に、ＣＰＵ１２は、シーリングライト制御テーブルを参照して、明るさレベルを１つずつ順番に選択して、選択した明るさレベルに対応するスイッチの開閉パターンを特定して、特定した開閉パターンでスイッチ２６を開閉するようにスイッチ制御部２０に指示する。その後、照度検出部２４に部屋の照度を検出させる。ＣＰＵ１２は、選択した明るさレベルに対応させて、検出した照度をシーリングライト設定テーブルに登録する。
【００５２】
また、ＣＰＵ１２は、ＨＥＭＳコントローラ３からの点灯制御コマンドに基づいてスイッチ２６を制御した後に電力検出部２２に消費電力を検出させる。ＣＰＵ１２は、検出された消費電力と、シーリングライト設定テーブルにおけるＨＥＭＳコントローラ３から指定された照度に対応する消費電力の差が一定値以上の場合には、シーリングライト２が交換されたと判断して、ＨＥＭＳ設定テーブルの再設定を行なう。
【００５３】
ＨＥＭＳ設定テーブルの再設定時に、ＣＰＵ１２は、シーリングライト制御テーブルを参照して、明るさレベルを１つずつ順番に選択して、選択した明るさレベルに対応するスイッチの開閉パターンを特定して、特定した開閉パターンパでスイッチ２６を開閉するようにスイッチ制御部２０に指示する。その後、電力検出部２２に消費電力を検出させる。ＣＰＵ１２は、選択した明るさレベルに対応させて、検出した消費電力をシーリングライト設定テーブルに登録する。
【００５４】
ＣＰＵ１２は、ＨＥＭＳコントローラ３から点灯制御コマンドを受信したときに、シーリングライト設定テーブルが未設定時（いずれかの設定値が「９９９９」）の場合に、シーリングライト設定テーブルの設定を行なう。
【００５５】
ＣＰＵ１２は、シーリングライト制御テーブルを参照して、明るさレベルを１つずつ順番に選択して、選択した明るさレベルに対応するスイッチの開閉パターンを特定して、特定した開閉パターンパでスイッチ２６を開閉するようにスイッチ制御部２０に指示する。その後、照度検出部２４に部屋の照度を検出させ、電力検出部２２に消費電力を検出させる。ＣＰＵ１２は、選択した明るさレベルに対応させて、検出した照度および消費電力をシーリングライト設定テーブルに登録する。
【００５６】
（通常時の動作）
図７は、本実施の形態の照明制御の動作手順を表わすフローチャートである。
【００５７】
図７を参照して、まず、ＣＰＵ１２は、シーリングライト設定テーブルが設定済みかどうかを調べる。ＣＰＵ１２は、シーリング設定テーブルにおける、いずれかの照度または消費電力が未設定を表わす「９９９９」の場合には（ステップＳ１０１でＮＯ）、シーリングライト設定テーブルが設定済みでないと判断して、シーリングライト設定テーブルの自動設定処理を行なう（ステップＳ１０２）。
【００５８】
ＣＰＵ１２は、シーリング設定テーブルにおける、いずれかの照度または消費電力が未設定を表わす「９９９９」でない場合には（ステップＳ１０１でＹＥＳ）、シーリングライト設定テーブルが設定済みであると判断して、以下の処理を行なう。
【００５９】
無線通信部１８は、ＨＥＭＳコントローラ３から、壁スイッチ装置１０で制御するシーリングライトを表わす照明装置ＩＤを含むコマンドを受信する（ステップＳ１０３）。
【００６０】
受信したコマンドが図６に示す点灯制御コマンドの場合には（ステップＳ１０４でＹＥＳ）、ＣＰＵ１２は、シーリングライト設定テーブルを参照して、点灯制御コマンドに含まれる照度に対応するシーリングライトの明るさレベルを特定する。ここで、点灯制御コマンドに含まれる照度がシーリングライト設定テーブルに登録されていない場合には、ＣＰＵ１２は、登録されている照度のうち、点灯制御コマンドに含まれる照度に最も近い照度に対応する明るさレベルを特定する。また、最も近い照度が複数ある場合には、ＣＰＵ１２は、たとえば照度が大きいものを選択して、選択した照度に対応する明るさレベルを特定する（ステップＳ１０５）。
【００６１】
ＣＰＵ１２は、シーリングライト制御テーブルを参照して、特定した明るさレベルに対応するスイッチのＯＮ／ＯＦＦ制御パターン（開閉パターン）を特定する（ステップＳ１０６）。
【００６２】
スイッチ制御部２０は、特定されたＯＮ／ＯＦＦ制御パターンに従って、スイッチ２６を制御する（ステップＳ１０７）。
【００６３】
次に、電力検出部２２は、電流センサ２８からの信号に基づいて、シーリングライト２の消費電力を検出する。また、照度検出部２４は、照度センサ３０からの信号に基づいて、室内の照度を検出する。
【００６４】
ＣＰＵ１２は、検出された照度とＨＥＭＳコントローラ３から指定された照度との差が一定値未満であり、かつ検出された消費電力とシーリングライト設定テーブルにおけるＨＥＭＳコントローラ３から指定された照度に対応する消費電力の差が一定値未満の場合には（ステップＳ１０９でＹＥＳ）、両者が一致していると判断して、ステップＳ１０３からの処理を繰返す。
【００６５】
ＣＰＵ１２は、検出された照度とＨＥＭＳコントローラ３から指定された照度との差が一定値以上であるか、または検出された消費電力とシーリングライト設定テーブルにおけるＨＥＭＳコントローラ３から指定された照度に対応する消費電力の差が一定値以上の場合には（ステップＳ１０９でＮＯ）、両者が一致していないと判断して、シーリングライト設定テーブルの自動設定処理を行なう（ステップＳ１１０）。
【００６６】
一方、受信したコマンドが図６に示す消灯制御コマンドの場合には（ステップＳ１１１でＹＥＳ）、ＣＰＵ１２は、スイッチ制御部２０に指示して、スイッチ２６をオフにさせる（ステップＳ１１２）。
【００６７】
また、受信したコマンドが図６に示す状態取得コマンドの場合には（ステップＳ１１３でＹＥＳ）、電力検出部２２は、電流センサ２８からの信号に基づいて、シーリングライト２の消費電力を検出する。ＣＰＵ１２は、消費電力の積算値である積算電力を算出する。照度検出部２４は、照度センサ３０からの信号に基づいて、室内の照度を検出する（ステップＳ１１４）。
【００６８】
ＣＰＵ１２は、検出した消費電力と、積算電力と、照度とを含む図６に示す状態通知コマンドを作成して、無線通支部を通じてＨＥＭＳコントローラ３へ送信する。ＨＥＭＳコントローラ３は、受信した状態通知コマンドに含まれる照度、消費電力、積算電力をＨＥＭＳ表示部５に表示する（ステップＳ１１５）。
【００６９】
また、受信したコマンドが図６に示す積算電力リセットコマンドの場合には（ステップＳ１１６でＹＥＳ）、ＣＰＵ１２は、消費電力を積算しているカウンタをリセットする（ステップＳ１１７）。
【００７０】
（シーリングライト設定テーブルの自動設定の動作）
図８は、シーリングライト設定テーブルの自動設定の動作手順を表わすフローチャートである。
【００７１】
ＣＰＵ１２は、明るさレベルを表わすカウンタ（明るさレベルカウンタ）を「０」に設定する（ステップＳ２０１）。
【００７２】
ＣＰＵ１２は、シーリングライト設定テーブル内のすべての照度と消費電力とを未設定を表わす「９９９９」に設定する（ステップＳ２０２）。
【００７３】
ＣＰＵ１２は、シーリングライト制御テーブルを参照して、カウンタに設定されている明るさレベルに対応するＯＮ／ＯＦＦ制御パターンを特定する（ステップＳ２０３）。
【００７４】
スイッチ制御部２０は、特定されたＯＮ／ＯＦＦ制御パターン（開閉パターン）に従って、スイッチ２６を制御する（ステップＳ２０４）。
【００７５】
電力検出部２２は、電流センサ２８からの信号に基づいて、シーリングライト２の消費電力を検出する。また、照度検出部２４は、照度センサ３０からの信号に基づいて、室内の照度を検出する（ステップＳ２０５）。
【００７６】
ＣＰＵ１２は、検出した照度とシーリングライト設定テーブルの明るさレベル「１」に登録されている照度との差が一定値未満であり、かつ検出した消費電力とシーリングライト設定テーブルの明るさレベル「１」に登録されている消費電力との差が一定値未満の場合には（ステップＳ２０６でＹＥＳ）、設定処理を終了する。これは、シーリングライトのスイッチング（ＯＦＦ／ＯＮ）を一定回数以上を繰返すと、明るさレベル「１」（全灯状態）に戻るためである。
【００７７】
ＣＰＵ１２は、検出した照度とシーリングライト設定テーブルの明るさレベル「１」に登録されている照度との差が一定値以上であるか、または検出した消費電力とシーリングライト設定テーブルの明るさレベル「１」に登録されている消費電力との差が一定値以上の場合には（ステップＳ２０６でＮＯ）、シーリングライト設定テーブルにおける、カウンタに設定されている明るさレベルに対応する照度と消費電力の欄に検出した照度と消費電力を書きこむ（ステップＳ２０７）。
【００７８】
次に、ＣＰＵ１２は、明るさレベルカウンタを１だけインクリメントして（ステップＳ２０８）、ステップＳ２０３に戻る。
【００７９】
（効果）
以上説明した本実施の形態の照明システムは、次のような効果を有する。
【００８０】
（１）  既存住宅の照明装置を利用できるため、ＨＥＭＳ導入費用が安くできる。
（２）  照明装置の正確な明るさ制御が行なえるため、省エネ効果がある。
【００８１】
（３）  照明装置の消費電力をＨＥＭＳの表示器で表示できるようになり、人間に対して省エネ行動を促すことができる。
【００８２】
（４）  照明装置の交換時の設定を自動で行い、利便性を向上させることができる。
（５）  壁スイッチ部分の取替えで対応できるため部屋の美観を損なうことがない。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８４】
１  照明システム、２，２＿１〜２＿Ｎ  シーリングライト、３  ＨＥＭＳコントローラ、５  ＨＥＭＳ表示部、７  人感センサ、１０，１０＿１〜１０＿Ｎ  壁スイッチ装置、１２  ＣＰＵ、１４  メモリ、１６  記憶部、１８  無線通信部、２０  スイッチ制御部、２２  電力検出部、２４  照度検出部、２６  スイッチ、２８  電流センサ、３０  照度センサ。
【図１】
2013037766.tif 000003
【図２】
2013037766.tif 000004
【図３】
2013037766.tif 000005
【図４】
2013037766.tif 000006
【図５】
2013037766.tif 000007
【図６】
2013037766.tif 000008
【図７】
2013037766.tif 000009
【図８】
2013037766.tif 000010